(57)【要約】      （修正有）【課題】培土器を下方の作業位置から上方の収納位置に反転させる場合、バネ力など弾性力で操作力を軽減させて培土器の容易且つ確実な収納を可能とさせると共に、収納位置から作業位置に復帰させる場合にも急激な落下を防止して良好な作業状態への復帰を可能とさせて作業性を向上させる。【解決手段】機体後方に培土器を装備させる農作業車の培土装置において、機体の作業取付部材２０に培土器を反転自在に支持させると共に、培土器に反転方向の弾性力を付勢する弾性部材２８を設ける。【選択図】図３
0003102342.tif 000002
【実用新案登録請求の範囲】
【請求項１】
機体後方に培土器を装備させる農作業車の培土装置において、機体の作業取付部材に培土器を反転自在に支持させると共に、培土器に反転方向の弾性力を付勢する弾性部材を設けたことを特徴とする農作業車の培土装置。
【請求項２】
作業機取付部材に固定させる取付金具と培土器の支持部材との間に培土器反転用の捩りコイルバネを介設させたことを特徴とする請求項１記載の農作業車の培土装置。
【請求項３】
培土器の反転時に培土器を自動的に反転位置に固定するフック部材を設けたことを特徴とする請求項１または２記載の農作業車の培土装置。
【考案の詳細な説明】
【技術分野】
【０００１】
本考案はトラクタなど農作業車に培土器を装備させた農作業車の培土装置に関する。  
【背景技術】
【０００２】
従来、トラクタの車体後方に延設装備させたブラケットに培土器の取付支柱を上下調節自在に固定したものがある。（例えば特許文献１参照）
【０００３】
【特許文献１】実開２００１−２６９００１公報
【考案の開示】
【考案が解決しようとする課題】
【０００４】
しかし乍ら上記の如き培土器にあって、不使用時にあってはその都度取外しを必要とするなどの手間の煩わしさがある。
【０００５】
そのため本機側にベースとなる板を取り付け、培土器に設ける回動可能な金具をベースとなる板にピンにより作業位置と収納位置に切換自在に固定させて、培土器を作業状態或いは収納状態に容易に変更させるようにした技術もあるが、培土器は重量物で下方の作業位置から上方の収納位置に切換える場合、培土器の自重を支えて下方から上方に切換える必要があり、また収納位置で固定ピンを引抜いて作業位置に切換える場合、自重で培土器が落下するなどの不都合が発生する。
【課題を解決するための手段】
【０００６】
そこで本考案は、機体後方に培土器を装備させる農作業車の培土装置において、機体の作業取付部材に培土器を反転自在に支持させると共に、培土器に反転方向の弾性力を付勢する弾性部材を設けたものである。
【０００７】
また、作業機取付部材に固定させる取付金具と培土器の支持部材との間に培土器反転用の捩りコイルバネを介設させたものである。
【０００８】
さらに、培土器の反転時に培土器を自動的に反転位置に固定するフック部材を設けたものである。
【考案の効果】
【０００９】
而して本考案は、機体後方に培土器を装備させる農作業車の培土装置において、機体の作業取付部材に培土器を反転自在に支持させると共に、培土器に反転方向の弾性力を付勢する弾性部材を設けたことによって、培土器を下方の作業位置から上方の収納位置に反転させる場合、バネ力など弾性力で操作力を軽減させて培土器の容易且つ確実な収納を可能とさせると共に、収納位置から作業位置に復帰させる場合にも急激な落下を防止して良好な作業状態への復帰を可能とさせることができるものである。
【００１０】
また、作業機取付部材に固定させる取付金具と培土器の支持部材との間に培土器反転用の捩りコイルバネを介設させたことによって、従来取付構造のものに捩りコイルバネを追加するだけの簡単にして安価な構成で培土器の作業位置或いは収納位置の容易な切換操作を可能とさせることができるものである。
【００１１】
さらに、培土器の反転時に培土器を自動的に反転位置に固定するフック部材を設けたことによって、培土器の作業位置から収納位置への切換操作時には、その都度ピンを差し込んで培土器を位置固定させる手間の煩わしさがなく自動的に位置固定させて、培土器の収納作業の能率向上化を図ることができるものである。
【考案を実施するための最良の形態】
【００１２】
以下、本考案の実施例を図面に基づいて詳述する。図１は全体の側面図、図２は耕耘ロータリ作業機の側面説明図を示し、図中１は農作業車であるトラクタであり、エンジン２を内設させるボンネット３両側に左右の前輪４・４を装設させ、前記ボンネット３後部に丸形操向ハンドル５を設け、該ハンドル５後方に運転席６を設置させ、運転席６両側後方に左右の後輪７・７を装設させ、作業者が運転席６に座乗して走行移動させると共に、トラクタ機体後方に３点リンク機構８を介し培土器９を有する耕耘ロータリ作業機１０を昇降自在に装設させて耕耘及び培土作業を行うように構成している。
【００１３】
図２に示す如く、前記ロータリ作業機１０はロータリ爪１１をチェンケース１２に設け、ロータリ爪１１上側をロータリカバー１３で覆い、ロータリカバー１３の後部に前後リヤカバー１４・１５を順次連結させると共に、ロータリ爪両側をサイドカバー１６で覆って耕耘作業を行う。
【００１４】
また、前記作業機１０のメインフレーム１７にデプスフレーム１８を連結させ、デプスハンドル１９によってデプスフレーム１８の後側を高さ調節すると共に、デプスフレーム１８後端のデプスビーム２０にヒッチブラケット２１を介し培土器９を反転自在に装着させている。
【００１５】
図３乃至図５に示す如く、前記ヒッチブラケット２１はデプスビーム２０の左右幅中央に係脱自在なヒッチピン２２を介して着脱自在に固定させ、ヒッチブラケット２１に支軸２３とロックピン２４を介して培土フレーム２５を回転自在に取付け、外盛整形用の培土板２６を培土支柱２６ａ下端に固定させ、培土フレーム２５のホルダ２５ａに支柱２６ａを上下位置調節自在取付け、培土板２６を着地させて後リヤカバー１５とにより隣接２列の平畦の半分片側と溝を整形させる外盛整形作業を行うと共に、ロックピン２４の係脱によって支軸２３回りに培土フレーム２５を上方に回転させ、図５実線位置に培土フレーム２５を反転させて培土器９を持上げ、後リヤカバー１５の培土器用の中央切欠穴を中央切欠板で面一状に覆って水田稲作用耕耘（代掻）作業などを行う。
【００１６】
ところで、前記ヒッチブラケット２１のヒッチ部２７と培土フレーム２５との間には培土器９に反転方向の弾性力を付勢させる弾性部材２８を設けるもので、弾性部材２８には捩りコイルバネ２９を用い、支軸２３の外周を巻回させて一端をヒッチ部２７に他端を培土フレーム２５に係止させて、ロックピン２４によるヒッチブラケット２１の作業位置用ピン穴２８ａと培土フレーム２５の単一ピン穴２９とのロック解除を行うとき、バネ２９のバネ力を培土フレーム２５に付勢させて、培土器９の下方作業位置から上方収納位置への移動時の操作力を軽減させるように構成している。
【００１７】
また、ヒッチブラケット２１の収納位置ピン穴２８ｂと培土フレーム２５のピン穴２９とにロックピン２４が係合する培土器９の収納状態より、ロックピン２４を引抜いて培土器９を作業位置に下降させる場合にはバネ２９のバネ力が抵抗となって培土器９の急激な下降（落下）を防止する。
【００１８】
上記からも明らかなように、機体後方に培土器９を装備させる農作業車の培土装置において、機体の作業取付部材であるデプスビーム２０に培土器９を反転自在に支持させると共に、培土器９に反転方向の弾性力を付勢する弾性部材２８を設けたもので、培土器９を下方の作業位置から上方の収納位置に反転させる場合、バネのバネ力など弾性力で操作力を軽減させて培土器９の容易且つ確実な収納を可能とさせると共に、収納位置から作業位置に復帰させる場合にも急激な落下を防止して良好な作業状態への復帰を可能とさせることができて、作業性を向上させることができる。
【００１９】
また、デプスビーム２０に固定させる取付金具であるヒッチブラケット２１と培土器９の支持部材である培土フレーム２５との間に培土器反転用の捩りコイルバネ２９を介設させたもので、従来取付構造のものに捩りコイルバネ２９を追加するだけの簡単にして安価な構成で培土器９の作業位置或いは収納位置の容易な切換操作を可能とさせることができる。
【００２０】
また、上述実施例にあっては培土器９の収納位置での固定をロックピン２４によって行う構成を示したが、図６に示す如く、前記ヒッチ部２７にフック部材３０を設け、培土器９の反転上昇状態のときフック部材３０に係合する係合ピン部材３１を培土フレーム２５に設けて、培土器９が作業位置より収納位置まで上昇するときにはフック部材３０にピン部材３１を自動的に係合させて、培土器９の収納位置での位置保持を図っても良い。
【００２１】
上記からも明らかなように、培土器９の反転時に培土器９を自動的に反転位置に固定するフック部材３０を設けたもので、培土器９の作業位置から収納位置への切換操作時には、その都度ピン２４を差し込んで培土器９を位置固定させる手間の煩わしさがなく自動的に位置固定させて、培土器９の収納作業の能率向上化を図ることができる。
【図面の簡単な説明】
【００２２】
【図１】全体の側面図。
【図２】耕耘ロータリ作業機の側面図。
【図３】培土フレーム部の側面説明図。
【図４】培土フレーム部の底面説明図。
【図５】培土フレーム部の作業及び収納位置の切換説明図。
【図６】フック部の構成説明図。
【符号の説明】
【００２３】
９    培土器
２０  デプスビーム（作業機取付部材）
２５  培土フレーム
２８  弾性部材
２９  捩りコイルバネ
３０  フック部材
【図１】
0003102342.tif 000003
【図２】
0003102342.tif 000004
【図３】
0003102342.tif 000005
【図４】
0003102342.tif 000006
【図５】
0003102342.tif 000007
【図６】
0003102342.tif 000008